(57)【要約】【課題】トイレット等のロール巻きペーパーを専用の軸体や軸芯、芯棒を使用することなく回転自在に収納し、端部を引き出して引張り切断できるようにする。【解決手段】ロール巻きペーパー２を収納できるように形成されたボックス１において、ロール巻きペーパー２の外径部を下方から回転自在にバックアップ支持する複数のローラー３，３，…を配設し、ボックス１の上面に設けられた蓋１Ｃ，１Ｄは片端部を蝶番４，４で支持して観音開き状に開閉自在にし、閉じた時の閉じ目Ｓがボックス１の上面の略中央位置で蓋１Ｃ，１Ｄに形成された傾斜面１ｃ，１ｄにて当接するようにし、閉じ目Ｓよりロール巻きペーパーの端部を引き出し、蓋１Ｃを押え付けて引張り切断するようにしたロール巻きペーパーボックスである。【選択図】図１
0003121168.tif 000002
【実用新案登録請求の範囲】
【請求項１】
ロール巻きペーパーを収納できるように形成し、上面に開閉自在な蓋を設けたボックス内でロール巻きペーパーを回転自在に支持し、閉じた蓋の上面へロール巻きペーパーの端部を引き出して切断するようにしたロール巻きペーパーボックスにおいて、ロール巻きペーパーの外径部を下方から回転自在にバックアップ支持する複数のローラーが配設されてなることを特徴とするロール巻きペーパーボックス。
【請求項２】
ロール巻きペーパーの外径部を回転自在にバックアップ支持するローラーの間隔が、最小になったロール巻きペーパーの外径より大きくならないように配設されてなることを特徴とする請求項１記載のロール巻きペーパーボックス。
【請求項３】
ボックスの上面に、観音開き状にして開閉する蓋を設け、該蓋を閉じた時の閉じ目が、ボックスの上面の略中央位置で傾斜面にして当接するように形成されてなることを特徴とする請求項１又は請求項２記載のロール巻きペーパーボックス。
【請求項４】
蓋を閉じた時の閉じ目が、傾斜面に円弧面の凹凸部を設けて、該凹凸部が嵌合して当接するように形成されてなることを特徴とする請求項１乃至請求項３のいずれか１項に記載のロール巻きペーパーボックス。
【請求項５】
蓋の片端部が蝶番で支持されると共に、押え付ける方の蓋に押え付けバネが設けられてなることを特徴とする請求項１乃至請求項４のいずれか１項に記載のロール巻きペーパーボックス。
【考案の詳細な説明】
【技術分野】
【０００１】
本考案は、トイレット等のロール巻きペーパーを収納し、必要なだけ引き出して使用するようにしたロール巻きペーパーボックスに関するものである。
【背景技術】
【０００２】
ロール巻きペーパーを収納し、必要なだけ引き出して使用するようにしたものとして、例えばトイレットペーパーが収納できるように一側面が開口した収納箱と、該収納箱の開口部に嵌合する蓋と、該蓋と、蓋に対向する位置にそれぞれ設けられた軸受け穴と、両端にストッパー機能を有し、前記軸受穴に通して架けられる軸体と、前記収納箱に設けられたトイレットペーパー取り出し穴とにより構成されるトイレットペーパー用ティッシュ箱（特許文献１参照）や、巻きロールを収納するための収納空間を持った本体に開閉自在な蓋を取着し、本体の両側壁には軸受けを形成し、巻きロールの軸孔に挿通した軸芯を前記軸受けに軸支して、巻きロールを巻戻すことでペーパーの引出しを可能とするロール巻きペーパーの引出しケース（特許文献２参照）、箱状に形成した容器本体と、本体に着脱自在な蓋板から構成されるロール紙容器であって、本体の左右側板内側に芯棒を受けるＵ字溝を形成し、本体の前板先端に紙切り歯を形成し、蓋板に紙出し孔を形成すると共に、蓋板の下面にロール紙の滑りを防止する吸着体を付設した吸着体付きの卓上ロール紙容器（特許文献３参照）等が開示され、公知となっている。
【０００３】
【特許文献１】特開２００２−１７６０９号公報
【特許文献２】実開平６−７５２９５号公報
【特許文献３】実用新案登録第３０２１０７４号公報
【考案の開示】
【考案が解決しようとする課題】
【０００４】
しかしながら、上記特許文献１〜３に記載されているように、従来、ロール巻きペーパーは、その内径穴に、軸体や軸芯、芯棒といったものを挿入して回転自在に支持されるのが一般的であったため、専用の軸体や軸芯、芯棒を必要とし、該軸体や軸芯、芯棒をロール巻きペーパーの内径穴に挿入してボックスやケース等の収納容器内の軸受穴や溝に両端部を嵌め込まなければならない面倒な手間を要している。
従って、本考案は、このような面倒な手間を要することなくボックスやケース等の容器内にロール巻きペーパーを収納して、ロール巻きペーパーの端部を引き出して使用できるようにしたロール巻きペーパーボックスを提供することを目的とし、該目的を達成することを課題とする。
【課題を解決するための手段】
【０００５】
上記目的を達成するために、本考案は以下に記載するような手段、すなわち、ロール巻きペーパーを収納できるように形成し、上面に開閉自在な蓋を設けたボックス内でロール巻きペーパーを回転自在に支持し、閉じた蓋の上面へロール巻きペーパーの端部を引き出して切断するようにしたロール巻きペーパーボックスにおいて、ロール巻きペーパーの外径部を下方から回転自在にバックアップ支持する複数のローラーが配設されてなることを特徴とするロール巻きペーパーボックスであり、ロール巻きペーパーの外径部を回転自在にバックアップ支持するローラーの間隔は、最小になったロール巻きペーパーの外径より大きくならないように配設されてなることを特徴とする。ロール巻きペーパーの外径部が、複数のローラーで下方から回転自在にバックアップ支持されることにより、ロール巻きペーパーの内径穴に挿入して支持する専用の軸体や軸芯、芯棒等は不要となる。ロール巻きペーパーは最小になってもローラーとローラーの間から脱落しない。
【０００６】
又、前記ボックスの上面に、観音開き状にして開閉する蓋を設け、該蓋を閉じた時の閉じ目が、ボックスの上面の略中央位置で傾斜面にして当接するように形成されてなることを特徴とする。或いは蓋を閉じた時の閉じ目が、傾斜面に円弧面の凹凸部を設けて、該凹凸部が嵌合して当接するように形成されてなることを特徴とする。そして、前記蓋を閉じた閉じ目を通してロール巻きペーパーの端部を引き出し、蓋を押え付けることによりロール巻きペーパーの引出し部を止めるようにして引張り切断する。
【０００７】
更に、蓋の片端部が蝶番で支持されると共に、押え付ける方の蓋に押え付けバネが設けられてなることを特徴とする。押え付けバネにより蓋を適度に押え付けて、ロール巻きペーパーの引出し部が抵抗を受けて引き出せるようにすると共に、引張り切断できるようにする。
【考案の効果】
【０００８】
上記手段にて記載するように、本考案はロール巻きペーパーを収納できるように形成し、上面に開閉自在な蓋を設けたボックス内でロール巻きペーパーを回転自在に支持し、閉じた蓋の上面へロール巻きペーパーの端部を引き出して切断するようにしたロール巻きペーパーボックスにおいて、ロール巻きペーパーの外径部を下方から回転自在にバックアップ支持する複数のローラーを配設したものであるから、ロール巻きペーパーの内径穴に挿入して支持する専用の軸体や軸芯、芯棒等が不要であり、ロール巻きペーパーの内径穴への軸体や軸芯、芯棒等の挿入、及び収納容器内の軸受穴や溝に嵌め込むなどの手間が省ける効果を奏する。
【０００９】
又、ボックスの上面に設けた蓋を観音開き状にして略中央位置で閉じ目を傾斜面で当接するようにしたり、或いは前記傾斜面に円弧面の凹凸部を設けて嵌合当接するようにすることにより、ロール巻きペーパーの端部の引き出し、引張り切断するのが容易である。
【考案を実施するための最良の形態】
【００１０】
本考案を実施するための最良の形態は、トイレット等に使用されるロール巻きペーパーを収納できるように形成し、上面に開閉自在な蓋を設けたボックス内でロール巻きペーパーを回転自在に支持し、閉じた蓋の上面へロール巻きペーパーの端部を引き出して切断するようにしたロール巻きペーパーボックスにおいて、ロール巻きペーパーの外径部を下方から回転自在にバックアップ支持する複数（四箇所）のローラーが配設されてなり、ボックスの上面に設けた蓋は、観音開き状にして閉じた時の閉じ目がボックスの上面の略中央位置で傾斜面にして当接するように形成されたものである。以下実施例にて図面を参照して説明する。
【実施例１】
【００１１】
図１は、本考案の実施例を示す側断面図である。図示するように、ボックス１は、ロール巻きペーパー２を収納できるように四方の側板１Ａ，１Ａ，…と、底板１Ｂ、で形成され、上面には蓋１Ｃ，１Ｄが開閉自在にして設けてあり、ボックス内には、ロール巻きペーパー２を下方から回転自在にバックアップ支持する複数（四箇所）のローラー３，３，…が配設されている。ローラー３，３，…は、軸棒３ａ，３ａ，…に支持されて、四方を側板１Ａ，１Ａ，…で囲まれたボックス１内でロール巻きペーパー２の外径部を下から回転自在にバックアップ支持するように横架されて配設されている。
【００１２】
そして、複数のローラー３，３，…で回転自在にバックアップ支持されたロール巻きペーパー２は、閉じられた蓋１Ｃ，１Ｄの閉じ目Ｓから端部２ａを蓋の上面へ引き出し、蓋１Ｃを押え付けるようにして引き出し部を止め、蓋１Ｄのエッジ１Ｅに当てて引張り切断するようにしてある。
なお、トイレットペーパーによっては、切断しやすくするため切り目の入ったものもあり、その場合はエッジ１Ｅに当てなくても引張るだけで切り目に沿って真直ぐ切断できる。
【００１３】
ボックス１の上面に設けた蓋１Ｃ，１Ｄは、片端部を蝶番４，４，…で取付けて観音開き状に開閉するようにし、別端部に傾斜面１ｃ，１ｄを形成して、閉じた時の閉じ目Ｓがボックスの略中央位置で傾斜面により当接するようにしてあり、蓋１Ｃ，１Ｄを開けてロール巻きペーパー２をボックス内に投入するとローラー３，３，…で回転自在にバックアップ支持され、ロール巻きペーパーの端部２ａを上方へ引き出して蓋１Ｃ，１Ｄを閉じるようにしてある。本実施例図では蓋１Ｄを閉じてから蓋１Ｃを閉じて、閉じ目Ｓが形成されるように傾斜面１ｃ，１ｄが形成されていて、蓋１Ｃを押え付けることによりロール巻きペーパーの引き出し部が止められるようにしてある。
【００１４】
蓋１Ｃ，１Ｄの閉じ目Ｓの入口と出口は、丸みＲをつけて加工されており、ロール巻きペーパーの端部２ａが引っ掛かることなくスムーズに引き出せるように配慮さている。或いは図２に示すように前記傾斜面１ｃ，１ｄに円弧面の凹部１ｅと凸部１ｆを設け、該凹部と凸部が嵌合して当接するように形成することにより、ロール巻きペーパーの端部２ａを引き出す時は図２の（ａ）に示すような状態でスムーズに引き出すことができ、蓋１Ｃを押え付けることにより図２の（ｂ）のような状態となってしっかりと止められる。これは比較的に引張りに強いロール巻きペーパーを引きずれないように止めて切断するのには好ましい。
【００１５】
又、蓋１Ｃを軽く押えるだけで切断できるようなロール巻きペーパーの場合は図３に示すように片端部が蝶番４で支持された押え付ける方の蓋１Ｃに押え付けバネ５を設けて、蓋１Ｃの傾斜面１ｃが蓋１Ｄの傾斜面１ｄを軽く押え付け、当接させるようにしても良い。
【００１６】
図４，図５はローラー３，３，…で回転自在にバックアップ支持されたロール巻きペーパーの状態を示すものである。ロール巻きペーパー２がボックス内に投入して収納された最初の状態（外径が大きい状態）では図４に示すように四箇所のローラー３，３，…でバックアップ支持され、使用されて最後の状態（最小径）に近づくと図５に示すように二箇所のローラー３，３でバックアップ支持する。従ってロール巻きペーパー２を回転自在にバックアップ支持する複数のローラー３，３，…の間隔Ｐは、ロール巻きペーパー２が最小になった外径より大きくならないようにして、間隔Ｐより脱落しないようにする必要がある。
【００１７】
図６は、以上のようにしてなるロール巻きペーパーボックスの外観を示す斜視図である。図６の（ａ）のように底板１Ｂを外部から見えるように付けてべた置きしても良いし、或いは底板１Ｂを図６の（ｂ）に示すようにボックス内に付けて脚立てして置くようにしても良い。ロール巻きペーパーは、ボックス内に収納されて端部以外はボックス外に露出しないから、ボックスの外面は、建物の室内等に合わせて、例えば木質材等で家具調に製作したり、或いはプラスチックで成型して家具調に仕上げるとその装飾性が醸し出され、トイレ以外に置いても違和感はない。
【図面の簡単な説明】
【００１８】
【図１】本考案の実施例を示す側断面図である。
【図２】蓋を閉じた時の実施態様を示す要部断面図である。
【図３】蓋の押え付け例を示す要部断面図である。
【図４】ロール巻きペーパーの外径が大きい時のローラーによるバックアップ支持状態を示す要部断面図である。
【図５】ロール巻きペーパーの外径が最小径に近づいた時のローラーによるバックアップ支持状態を示す要部断面図である。
【図６】本考案の外観を示す斜視図である。
【符号の説明】
【００１９】
１  ボックス
１Ａ  側板
１Ｂ  底板
１Ｃ，１Ｄ  蓋
１Ｅ  エッジ
１ｃ，１ｄ  傾斜面
１ｅ  凹部
１ｆ  凸部
２  ロール巻きペーパー
２ａ  端部
３  ローラー
３ａ  軸棒
４  蝶番
５  押え付けバネ
Ｓ  閉じ目
Ｒ  丸み
Ｐ  間隔
【図１】
0003121168.tif 000003
【図２】
0003121168.tif 000004
【図３】
0003121168.tif 000005
【図４】
0003121168.tif 000006
【図５】
0003121168.tif 000007
【図６】
0003121168.tif 000008